(57)【要約】【課題】  パブリックＭＦＰと、携帯電話に代表されるブルートゥース機器との、容易な連携を可能とするため、コンビニエンスストアなどの狭い店内で、複数存在する未知のブルートゥース機器の中から、ＭＦＰユーザの所有するブルートゥース機器のみを、選択してＭＦＰと通信出来る複合機能印刷装置を提供する。【解決手段】  パブリックＭＦＰにおいて、ユーザ携帯のブルートゥース機器が置かれた事を検知する検知手段とそれに連動して動作するブルートゥースインターフェース手段とユーザブルートゥースデバイスアドレス情報を記録する手段を有することを特徴とする。【選択図】        図１
2006287860.tif 000002
【特許請求の範囲】
【請求項１】
複合機能印刷装置すなわちＭＦＰにおいて
無線Ｉ／Ｆを有した携帯情報機器を設置できるトレイ用の窪み部を有し、該窪み部には設置センサを配置して、窪み部に携帯情報機器が置かれたことを検知できる機能を有することを特長とする複合機能印刷装置。
【請求項２】
前記トレイ用窪み部に携帯情報機器を検知すると無線インターフェースを用いたリンク確立処理を実行し、該携帯情報機器と通信可能とする機能を有することを特長とする複合機能印刷装置。
【請求項３】
前記トレイ用窪み部に設置された携帯情報機器と同一の無線インターフェース機能を有したその他の携帯情報機器が近傍に存在したとしても、トレイ用窪み部設置の携帯情報機器を選択して、無線インターフェースで通信可能な機能を有することを特長とする複合機能印刷装置。
【請求項４】
通信を確立した前記携帯情報機器の前記無線インターフェース固有のデバイスアドレス情報をＭＦＰ内部の不揮発メモリの書き込み、ユーザ情報として登録する機能を有することを特長とする複合機能印刷装置。
【発明の詳細な説明】
【技術分野】
【０００１】
本発明は空港、ホテル、駅、コンビニエンスストアなどのパブリックな環境に設置され、コピー機能、ＦＡＸ機能、プリント機能を持つ複合機能印刷装置（以降ＭＦＰ：Ｍｕｌｔｉ  Ｆｕｎｃｔｉｏｎａｌ  Ｐｅｒｉｐｈｅｒａｌ  と称す）に関する。
【背景技術】
【０００２】
現在、カメラ付携帯電話及び高解像度デジタルカメラの急激な普及により、カラーイメージデータを扱う機会が、ビジネス及びプライベートにおいて増大している。またビジネス文書もＰＤＦ（Ｐｏｒｔａｂｌｅ  Ｄａｔａ  Ｆｏｒｍａｔ）などの、アプリケーションに依存しない標準フォーマットが普及し、パソコンを必要とせずに携帯メモリを印刷装置に装着する事で文書のダイレクトプリントが可能な印刷装置が登場している。
【０００３】
このような状況からコンビニエンスストア、空港、ホテル等のパブリック環境に設置されたＭＦＰでの、印刷サービスを利用するユーザがますます増加していく事が予想され、同時にパブリック環境に設置されるＭＦＰの更なる高機能化とイージーユース性が求められている。
【０００４】
そしてパブリックＭＦＰの使用頻度をより高めるにはＰＣ（パーソナルコンピュータ）という専門知識を必要とするデバイスでなく、オフィス以外で働く人、学生、児童、老人、主婦など誰もが使用している情報デバイスである携帯電話との親和性を如何に高めるかが重要なポイントといえる。
【０００５】
従来、携帯電話とＭＦＰ、プリンタ等の印刷装置間の通信方法は赤外線通信（ＩｒＤＡ）が用いられてきた。ＩｒＤＡは１対１通信が容易に実行できるが、通信速度が遅すぎるという問題点があり、今後の主流はＢｌｕｅｔｏｏｔｈ、ＵＷＢなどの高速無線インターフェースとなる。
【０００６】
携帯機器とＰＣとの融合を目的としたＢｌｕｅｔｏｏｔｈには以下のような特徴がある。
＊初めて接したデバイス同士でもその場限り（一過性）の接続が可能である。
＊複数機器同士のネットワーク接続が可能である。
＊回路規模が小さく、携帯機器への組み込みが容易。
＊約半径１０ｍの範囲（ピコネットエリア）で通信が可能。
＊通信電界強度の違いを認識して、約１．７ｍを境に近傍デバイスか遠方デバイスかを判断可能。
＊Ｅメールアドレスが無くとも、ユーティリティがインストールされていれば、ＢＴ機器間でメッセージのやり取りが可能。
＊各機器に内蔵しているサービスプロファイルにより機能を実現し（Ｂａｓｉｃ  Ｐｒｉｎｔｉｎｇ：ＰＣ／ＰＤＡからの印刷、Ｂａｓｉｃ  Ｉｍａｇｉｎｇ：デジタルカメラのＩＯ制御、Ｈａｎｄｓ  Ｆｒｅｅ：Ｈｅａｄｐｈｏｎｅ制御など）、通信相手機器のプロファイル情報を読み込んでサービスを決定
などである。
【０００７】
ここで図１６によりＢｌｕｅｔｏｏｔｈプロトコルの状態遷移について説明しておく。
【０００８】
“Ｓｔａｎｄｂｙ”は待ち受けフェーズであり、他のＢＴ機器が自機のピコネットエリア（約１０ｍ）にない場合、接続待ち状態となる。
【０００９】
“Ｉｎｑｕｉｒｙ”は問い合わせフェーズで、ピコネットエリアに他のＢＴ機器を認識し、それが初めて接続するＢＴ機器かどうかを検索し、該機のプロファイルを読み込み、どんなＢＴ機器なのか、プリンタなのか、携帯電話なのか、カメラなのか、を識別する。
【００１０】
“Ｐａｇｅ”は呼び出しフェーズであり、Ｂｌｕｅｔｏｏｔｈ  Ｄｅｖｉｃｅ  Ａｄｄｒｅｓｓが既知のＢＴ機器に対して接続を要求する。
【００１１】
“Ｃｏｎｎｅｃｔｅｄ”は接続フェーズで、ピコネット内のＢＴ機器と接続する。
【００１２】
“Ｔｒａｎｓｍｉｔ  ｄａｔａ”は同期確立フェーズで、ＢＴ機器と実際にデータを送受信する。
【００１３】
よってＢｌｕｅｔｏｏｔｈでは初めてのデバイスとでも通信可能であり、既知のデバイスに関してはより迅速にデータ通信を行う事が可能と言う特長がある。
【００１４】
Ｂｌｕｅｔｏｏｔｈ内蔵携帯電話とＭＦＰの連携に関する代表的な先願では、
特許文献１：店頭プリント装置には、ＢｌｕｅｔｏｏｔｈおよびＢｌｕｅｔｏｏｔｈ用アンテナならびに携帯電話インターフェースおよび電話回線用アンテナが設けられている。店頭プリント装置においてプリントが終了すると，Ｂｌｕｅｔｏｏｔｈによる近距離通信が可能な場合には，Ｂｌｕｅｔｏｏｔｈを用いてユーザにプリント終了を知らせる。近距離通信が不可能な場合には，ユーザの携帯電話に電子メールでプリント終了を知らせる、というものがある。
【特許文献１】特開２００２−３７３０６２号公報
【発明の開示】
【発明が解決しようとする課題】
【００１５】
しかしながら、前記先願特許文献１では店頭プリンタと携帯電話Ｂｌｕｅｔｏｏｔｈとの連携という着目点は斬新であるが、ＢＴ機器ＩＤ（固有コード）のプリンタへの登録に関してはＰＩＮコード（ＰＩＮコードはＢｌｕｅｔｏｏｔｈ携帯電話に付与される４桁のコード）の手入力であり、老若男女をユーザ対象とするコンビニエンスストアに設置されるパブリックＭＦＰとしては、面倒な操作を要求する事に些か問題があった。
【００１６】
また、Ｂｌｕｅｔｏｏｔｈの特徴として約半径１０ｍのピコネットエリア内に存在する他の複数のＢｌｕｅｔｏｏｔｈ機器（以下ＢＴ機器）と通信できる点は長所であるが、狭いコンビニエンスストアを想定すると、ピコネットエリア内に存在する複数の未知のＢＴ機器から、特定のユーザＢＴ機器を選択するのは難しいと言う短所にもなるという問題があった。
【００１７】
本発明は、上述の問題点に着目してなされたものであって、パブリックＭＦＰと、携帯電話に代表されるブルートゥース機器との、容易な連携を可能とするため、コンビニエンスストアなどの狭い店内で、複数存在する未知のブルートゥース機器の中から、ＭＦＰユーザの所有するブルートゥース機器のみを、選択してＭＦＰと通信出来る複合機能印刷装置を提供することを目的とする。
【００１８】
すなわち、本発明では複数のＢＴ機器が存在するコンビニエンスストア店内でＭＦＰとユーザ携帯電話が確実にＢＴ通信できる方法とキー入力をせず簡易にユーザＢＴ携帯機器の固有コードをＭＦＰに登録できる方法を提案する。
【課題を解決するための手段】
【００１９】
上記目的を達成するために、請求項１〜請求項４で示す複合機能印刷装置（ＭＦＰ）のように従来のＭＦＰに対して、無線Ｉ／Ｆを有した携帯情報機器を設置できるトレイ用の窪み部を有し、該窪み部には設置センサを配置して、窪み部に携帯情報機器が置かれたことを検知できる機能と
前記トレイ用窪み部に携帯情報機器を検知すると、無線インターフェースを用いたリンク確立処理を実行し、該携帯情報機器と通信可能とする機能と
通信を確立した前記携帯情報機器の前記無線インターフェース固有のデバイスアドレス情報をＭＦＰ内部の不揮発メモリの書き込み、ユーザ情報として登録する機能
を有するものである。
【００２０】
即ち、従来のＢｌｕｅｔｏｏｔｈ対応プリンタとＢＴ機器との通信確立においては、周りに他のＢＴ機器が無く、尚且つＢＴ機器とＢｌｕｅｔｏｏｔｈプリンタの双方を通信モードに設定してから、通信を確立せねばならず（常時通信確立可能なモードに設定する事も可能であるが、電力を消費すると言うリスクがあった）、コンビニエンスストアのような閉空間で且つ多数のＢＴ機器が存在する状況では、不向きと言わざるを得なかった事に対して、本発明では、ＭＦＰ上の設置センサにＢＴ機器が置かれたことを判断して、それをトリガにリンク確立フェーズに移行する機能を有する事から、ユーザがＭＦＰの設けたＢＴ機器センス専用トレイにレディ状態のＢＴ機器置くだけで、センストレイ上のＢＴ機器をユーザ所有ＢＴ機器と特定できる。
【００２１】
ユーザＢＴ機器のＢｌｕｅｔｏｏｔｈ  Ｄｅｖｉｃｅ  Ａｄｄｒｅｓｓ情報（ＢＴＤアドレス：４８ｂｉｔの機器固有情報、ＢｌｕｅｔｏｏｔｈではＢＴＤアドレスを用いて通信ホッピングパターンを生成し、該当ＢＴ機器に対して選択に通信を行う）を直ちにＭＦＰに送信できる。
【００２２】
ＢＴＤアドレスを現在使用中のユーザ固有情報としてＭＦＰ内部のメモリに登録し、その後のユーザとの種種のメッセージ送信に利用出来るという効果が期待できる。
【発明の効果】
【００２３】
今後印刷サービスの需要が増大すると予想されるパブリックＭＦＰにおいて、ユーザ携帯のＢｌｕｅｔｏｏｔｈ機器が置かれた事を検知するセンサトレイとそれに連動して動作するＢｌｕｅｔｏｏｔｈ  Ｉ／Ｆ手段を有する事により、未知のＢｌｕｅｔｏｏｔｈデバイスが複数ある場合はその中からある一つを選択する事が難しいというＢｌｕｅｔｏｏｔｈの弱点を克服し、狭いコンビニエンスストアのような、パブリックＭＦＰ設置環境に複数存在するＢｌｕｅｔｏｏｔｈ機器の中から、現在パブリックＭＦＰを使用しているユーザのＢｌｕｅｔｏｏｔｈ機器のみを選別して、通信することが可能となり、パブリックＭＦＰからユーザへ、Ｂｌｕｅｔｏｏｔｈ  Ｉ／Ｆを用いた様々なサービスを提供する事が可能になる、という効果がある。
【発明を実施するための最良の形態】
【００２４】
以下本発明を実施するための最良の形態を、実施例により詳しく説明する。
【実施例】
【００２５】
［第一実施例］
図１、図３に本発明の第一実施例であるパブリックＭＦＰの提供機能の概要を示す。
【００２６】
１は本発明を実施したパブリックＭＦＰであり、空港、ホテル、コンビニエンスストアなどのパブリックな環境に設置され、インターネットに接続されている。ユーザは該ＭＦＰを用いて“コピーサービス”、“メディアダイレクトプリントサービス”、“ネットプリントサービス”、“ＦＡＸサービス”を使用することが可能である。
【００２７】
２はパブリックＭＦＰ１のＢｌｕｅｔｏｏｔｈインターフェース手段であるＢＴ  Ｉ／Ｆ  Ｕｎｉｔであり、パブリックＭＦＰ１半径約１０ｍの範囲（Ｂｌｕｅｔｏｏｔｈピコネットエリア）に存在するＢｌｕｅｔｏｏｔｈ搭載デバイスと通信する事が可能である。さらに受信信号の電界強度により、相手ＢＴ機器が近傍（約１．７ｍ以内）にあるのか、それより遠いところにあるのかを判断できる。
【００２８】
３は何かが置かれたことを検知するセンス機能と前記ＢＴ  Ｉ／Ｆ  Ｕｎｉｔ２と連動して、前記置かれた機器に対してＢｌｕｅｔｏｏｔｈによりＭＦＰ１が通信を行えるＭＦＰ  ＢＴ機器センストレイである（図３参照）。パブリックＭＦＰ１を使用するユーザが所有のＢＴ機器（携帯電話、ＰＤＡ［Ｐｅｒｓｏｎａｌ  Ｄａｔａ  Ａｔｔａｃｈｍｅｎｔ］，ｅｔｃ）をＭＦＰ  ＢＴ機器センストレイ３に置くと、その設置行為をＭＦＰとユーザＢＴ機器４とのリンク確立フェーズ移行のトリガとして認識し、ＭＦＰ１はユーザＢＴ機器４のＢｌｕｅｔｏｏｔｈ  Ｄｅｖｉｃｅ  Ａｄｄｒｅｓｓ情報などの固有情報を自動で読込、ＭＦＰ１内部の不揮発メモリにユーザ固有情報として登録する。
【００２９】
ＢＴ機器センストレイ３を設けることにより、ＭＦＰ１は常にＢＴ機器デバイスを監視する必要が無く、必要に応じてＢＴ通信処理ルーチンを起動できるため、ＭＦＰシステムの冗長性を抑え、処理効率を向上でき、且つ周囲に存在する複数のＢＴ機器の中から、ＭＦＰ近傍（１．７ｍを閾値として認識可能）にあるＢＴ機器をユーザのＢＴ機器として認識できる。
【００３０】
そして、以後、当該ユーザに対する表示、通知行為が生じた場合に、ＭＦＰ１の半径１０ｍ以内のＢＴピコネットエリアにユーザＢＴ機器４が存在すれば、Ｂｌｕｅｔｏｏｔｈを用いてユーザＢＴ機器にメッセージ情報（登録済みのＪＯＢが終了した、処理中エラーが生じた、など）送信する事ができる。
【００３１】
次いで図２により、第一実施例におけるパブリックＭＦＰ１の構成要素について説明する。一部既出の構成要素に関しては説明を省略する。
【００３２】
パブリックＭＦＰ１はＭＦＰ本体１１とコインロボ１６から成る。ＭＦＰ本体１１は通信＆印刷機能全般を、コインロボ１６はパブリックＭＦＰの課金機能を担当する。
【００３３】
ＭＦＰ本体１１には通信、データ入力、描画などの主たる機能の制御を司る主制御部１２、印刷の実行を制御するエンジン制御部１３、ＬＣＤなどの表示器とハードキー、タッチパネルなどの入力器からなる操作部１４、複数ページ原稿を纏めてスキャニングするＤＦ（ドキュメントフィーダ）１５、コインロボ１６とＭＦＰ主制御部１２とのインターフェースを司り、プリント枚数により使用料金を算出するコインロボ制御部２６、ＣＤ−ＲＯＭ、ＣＦカード、ＳＤカードなどの携帯メモリメディアに格納された印刷データを読み込んで、印刷ＪＯＢとしてＭＦＰ１に入力する機能を有する、メモリメディアスロット１７、ユーザの所有するＢｌｕｅｔｏｏｔｈ  Ｉ／Ｆ搭載機器４がＢＴ機器センストレイ３に置かれるとそれを検知し、該ＢＴ搭載機器の固有アドレスであるＢｌｕｅｔｏｏｔｈ  Ｄｅｖｉｃｅ  Ａｄｄｒｅｓｓ（ＢＴＤＡ）情報を読み込んで、ユーザ登録情報として管理するユーザＢＴＤアドレス管理テーブル１８、大容量記憶装置であり多量の印刷データ＆スキャンデータの保存を可能とするハードディスクドライブ（ＨＤＤ）１９を有す。
【００３４】
さらに、ＭＦＰ主制御部１２にはＣＰＵ２１、ＲＡＭ２２、ＲＯＭ２３、エンジン制御部１３へ出力する印刷データを生成する描画部２４、ネットワークを介して外部デバイスとの情報送受信、ＢＴ  Ｉ／Ｆ  Ｕｎｉｔ２によるＢＴ機器との情報送受信、メモリメディアスロット１７からの印刷データ情報受信、スキャナからのイメージデータの受信を行う通信制御部２５、操作部１４との情報の送受信を行う操作部制御部２７を有する。
【００３５】
５はネットワーク、６はネットワーク上のサーバである。
【００３６】
さらに図４〜図８を用いて第一実施例におけるパブリックＭＦＰとＢｌｕｅｔｏｏｔｈ携帯機器との連携サービスについて、より詳細に説明する。文中のナンバリングされた構成手段は全て図１、図２で既出のものである。
【００３７】
＜Ｓ１０１＞メモリメディアのダイレクトプリントサービスを利用するため、コンビニエンスストアに来店したユーザは操作部１４にて“メディアダイレクトプリントサービス”を選択し、持参の印刷データを内蔵したメモリメディアをメモリメディアスロット１７に挿入する
＜Ｓ１０２＞ユーザは操作部１４にてメモリメディアから印刷するデータを選択する。
【００３８】
＜Ｓ１０３＞操作部１４はユーザの保持するユーザＢＴ機器４（ケータイ、ＰＤＡ、などの表示機能のあるＢＴ搭載機）を電源ＯＮしてＭＦＰのＢＴ機器トレイ３に置くよう表示する。図５−Ｓ１０４参照。
【００３９】
＜Ｓ１０４＞ユーザが該当するＢＴ機器を携帯していなければ＜Ｓ１０８＞へ。ＢＴ機器をトレイ３に載せたらの＜Ｓ１０５＞へ。図５−Ｓ１０４参照。
【００４０】
＜Ｓ１０５＞ＢＴ  Ｉ／Ｆ  Ｕｎｉｔ２は周囲のＢＴ機器を探索し、ＭＦＰ１の周囲１．７ｍに１台しかＢＴ機器が認識できなければ＜Ｓ１０７＞へ。偶々複数台認識した場合は＜Ｓ１０６＞へ。
【００４１】
＜Ｓ１０６＞複数台のＢＴ機器がＭＦＰ１の近傍半径１．７ｍに存在した場合、認識したＢＴ機器のＢＴＤアドレスとＢＴプロファイルの種類を操作部１４に表示し、ユーザに選択してもらう。ユーザに判断できない場合は再検索する。図５−Ｓ１０５、Ｓ１０６参照。
【００４２】
＜Ｓ１０７＞ユーザＢＴ機器が特定できたらＭＦＰ１はユーザＢＴ機器ＢＴＤアドレス情報と印刷ＪＯＢのＩＤ情報をリンクしてユーザＢＴＤアドレス管理テーブル１８に記録する。図５−Ｓ１０７、Ｓ１０８参照。
【００４３】
ＢＴＤアドレス管理テーブルは、図７のようにＪＯＢ＿ＩＤ、Ｆｉｌｅ名、ＢＴ機器を登録したユーザのＢＴＤアドレス、印刷続行パスワード（別名：セキュアプリントパスワード）、及びＪＯＢ処理に関するステータス情報が記録される。
【００４４】
＜Ｓ１０８＞印刷準備に時間が掛かる場合、ユーザがＭＦＰ１から中座しても良いように（セキュアプリント）、印刷ＪＯＢ続行パスワードをユーザに提示する。
【００４５】
図５−Ｓ１０７、Ｓ１０８参照。ユーザが印刷パスワードを了承したら（ＯＫ押下）セキュアプリントモードを設定し、ＨＤＤに画素単位印刷情報を格納した時点でユーザからの印刷ＪＯＢ続行パスワード入力待ちとなる。
【００４６】
一方、ＢＴ機器を持ち合わせてなかったユーザに対しても図６−Ｓ１０８＿２のように印刷続行パスワードを提示して、了承されたらセキュアプリントモードに移行する。
【００４７】
＜Ｓ１０９＞印刷ＪＯＢデータから画素単位印刷データ（別名ビットマップデータ）を生成し、ＨＤＤに保存する。
【００４８】
＜Ｓ１１０＞画素単位印刷データが生成され印刷準備が終了すると、ＢＴＤアドレスを管理テーブルに登録したＪＯＢの場合、該ＢＴＤアドレスのＢＴ機器に対して印刷準備が整ったので、再度ＭＦＰ１から続行パスワードを入力する旨のメッセージを、Ｂｌｕｅｔｏｏｔｈを用いて送信する。このときに印刷続行パスワードとユーザが入力した印刷ＪＯＢファイル名も確認のため送信する。図８−Ｓ１１０参照。
【００４９】
＜Ｓ１１１＞ユーザが操作部１４より印刷続行パスワードを入力するとユーザＢＴＤアドレス管理テーブルを参照し、ＨＤＤ１９に格納された画素単位印刷情報を特定して、印刷枚数から課金量を算出して表示する。図６−Ｓ１１１参照。
【００５０】
＜Ｓ１１２＞コインロボに規定料金が投入されると印刷を実行する。
【００５１】
以上説明したように、欧米市場で携帯電話の必須機能となっているＢｌｕｅｔｏｏｔｈインターフェースのアドホック通信機能を利用して、パブリック環境に設置されたＭＦＰと携帯電話との簡易な連携を図るに当り、ＭＦＰに携帯電話／ＰＤＡ専用トレイを設け、該トレイに置かれた携帯電話／ＰＤＡのセンスとＢｌｕｅｔｏｏｔｈに依るリンク確立を実行できる手段を設ける事により、Ｂｌｕｅｔｏｏｔｈピコネットエリアに存在する未知のＢＴ機器の中から特定のＢＴ機器を選択することは難しいと言う、Ｂｌｕｅｔｏｏｔｈ  Ｉ／Ｆの弱点を克服し、ＭＦＰとにユーザＢＴ機器の固有情報を容易に登録でき、その後の様々なＢｌｕｅｔｏｏｔｈ連携サービスをＭＦＰユーザに享受させる事が可能となる。
【００５２】
［第二実施例］
図９に本発明の第二実施例であるパブリックＭＦＰを用いたＢｌｕｅｔｏｏｔｈカメラダイレクトプリントサービスの提供機能の概要を示す。図中、第一実施例で紹介したものと同一の機能を有する物に関しては同じ番号を付与しており、一部は説明を省略する。
【００５３】
３１は本発明を実施したパブリックＭＦＰであり、空港、ホテル、コンビニエンスストアなどのパブリックな環境に設置され、インターネットに接続されている。本発明ではメモリメディアを抜かずにデジタルカメラから直接印刷できるカメラダイレクトプリントサービスを提供している。
【００５４】
２はパブリックＭＦＰ１のＢｌｕｅｔｏｏｔｈ  インターフェース手段であるＢＴ  Ｉ／Ｆ  Ｕｎｉｔであり、パブリックＭＦＰ１半径約１０ｍの範囲（Ｂｌｕｅｔｏｏｔｈピコネットエリア）に存在するＢｌｕｅｔｏｏｔｈ搭載デバイスと通信する事が可能である。さらに受信信号の電界強度により、相手ＢＴデバイスが近傍（約１．７ｍ以内）にあるのか、それより遠いところにあるのかを判断できる。
【００５５】
３３は光学センサにより何かが置かれた事をセンスする機能を持ち、前記ＢＴ  Ｉ／Ｆ  Ｕｎｉｔ２と連動して、前記置かれた機器に対してＢｌｕｅｔｏｏｔｈによりＭＦＰ３１が通信を行うＭＦＰ  ＢＴ機器センストレイである（図１１参照）。パブリックＭＦＰ３１を使用するユーザが所有のＢＴ付きデジタルカメラ（或いはカメラ付き携帯電話）をＭＦＰ  ＢＴ機器センストレイ３３に置くと、その設置行為をＭＦＰとユーザＢＴ機器３２とのリンク確立行為のトリガとして認識し、ＭＦＰ３１はユーザＢＴ機器３２のＢｌｕｅｔｏｏｔｈ  Ｄｅｖｉｃｅ  Ａｄｄｒｅｓｓ情報など固有情報とデジタルカメラ内に内蔵したＢＴプロファイルを認識する。もし該ユーザデジタルカメラ３２がＢＴプリントプロファイルを有している事を認識できたら、カメラダイレクトプリント実行ルーチンへ移行する。一度ＭＦＰ３１とデジタルカメラ３２がＢＴリンクを確立したら、ユーザは専用トレイ３３からデジタルカメラ３２を取り上げ、デジタルカメラ３２のＵＩを用いて内蔵写真データの印刷が可能である。
【００５６】
次いで図２により、第二実施例におけるパブリックＭＦＰ３１の構成要素について説明する。第一実施例で既出の構成要素に関しては説明を省略する。
【００５７】
パブリックＭＦＰ３１はＭＦＰ本体４０とコインロボ１６から成る。ＭＦＰ本体４０は通信＆印刷機能全般を、コインロボ１６はパブリックＭＦＰの課金機能を担当する。
【００５８】
ＭＦＰ本体４０には通信、データ入力、描画などの主たる機能の制御を司る主制御部３４、エンジン制御部１３、操作部１４、ＤＦ（ドキュメントフィーダ）１５、コインロボ制御部２６、メモリメディアスロット１７、ユーザの所有するＢｌｕｅｔｏｏｔｈ  Ｉ／Ｆ搭載機器３２がＢＴ機器センストレイ３３に置かれるとそれを検知し、該ＢＴ搭載機器の固有アドレスであるＢｌｕｅｔｏｏｔｈ  Ｄｅｖｉｃｅ  Ａｄｄｒｅｓｓ（ＢＴＤＡ）情報を読み込んで、ユーザ登録情報として管理するユーザＢＴＤアドレス管理テーブル１８、ハードディスクドライブ（ＨＤＤ）１９、そしてＢＴ機器センストレイ３に置かれたＢＴ機器３２のサービスプロファイルを検知して、当該ＢＴ機器３２にプリントサービスプロファイル及びＩＯ制御プロファイルが搭載していればＢＴに依るダイレクトプリントサービスを当該ＢＴ機器３２に提供する機能を有するＢＴプロファイル管理＆制御部  ３５を有する。
【００５９】
また、ＭＦＰ主制御部３４にはＣＰＵ２１、ＲＡＭ２２、ＲＯＭ２３、描画部２４、通信制御部２５、操作部制御部２７を有する。
【００６０】
５はネットワーク、６はネットワーク上のサーバである。
【００６１】
さらに図１２〜図１５を用いて第二実施例におけるパブリックＭＦＰとＢｌｕｅｔｏｏｔｈ携帯機器との連携サービスについて、より詳細に説明する。文中のナンバリングされた構成手段は全て図９、図１０で既出のものである。
【００６２】
＜Ｓ２０１＞カメラダイレクトプリントサービスを利用するため、コンビニエンスストアに来店したユーザは操作部１４にて“カメラダイレクトプリントサービス”を選択する。図１３−Ｓ２０１参照。
【００６３】
＜Ｓ２０２＞操作部１４はユーザのデジタルカメラ３２をＢｌｕｅｔｏｏｔｈ通信モードに設定してＭＦＰ３１のＢＴ機器センストレイ３３に置くよう表示する。図１３−Ｓ２０４参照。
【００６４】
＜Ｓ２０３＞センストレイ３３がユーザデジタルカメラをセンスすると、ＢＴ  Ｉ／Ｆ  Ｕｎｉｔ２は周囲のＢＴ機器を探索する。ＭＦＰ３１の周囲約１．７ｍに１台しかＢＴ機器が認識できなければ＜Ｓ２０５＞へ。複数台認識した場合は＜Ｓ２０４＞へ。
【００６５】
＜Ｓ２０４＞複数台のＢＴ機器がＭＦＰ３１の近傍半径１．７ｍに存在した場合、認識したＢＴ機器のＢＴＤアドレスとＢＴプロファイルの種類を操作部１４に表示し、ユーザに選択してもらう。ユーザに判断できない場合は再検索する。図１４−Ｓ２０４参照。
【００６６】
＜Ｓ２０５＞ユーザデジタルカメラが特定できたら、ユーザデジタルカメラ３２に、ＭＦＰ３１に写真データを転送可能なプロファイル情報が格納されているかを確認する。該プロファイル情報が無ければデジタルカメラからのダイレクト印刷は出来ないため、ユーザはカメラの写真データ内蔵メモリを外し、メモリメディアプリントサービスを選択しなければならない。
【００６７】
＜Ｓ２０６＞ＭＦＰ３１はユーザデジタルカメラ３２とＢｌｕｅｔｏｏｔｈリンクを確立し、通信を行う。この時点でユーザはＢＴ機器センストレイ３３からデジタルカメラ３２を取り上げ、デジタルカメラのＵＩを操作できる。図１４−Ｓ２０６参照。
【００６８】
＜Ｓ２０７＞ユーザはデジタルカメラの操作部を用い、ＭＦＰ３１とＢｌｕｅｔｏｏｔｈ通信を確保しながら、印刷する写真データを選択し（図１４参照）、
＜Ｓ２０８＞ＭＦＰ３１に転送する。ＭＦＰ３１はユーザＢＴ機器ＢＴＤアドレス情報と受信した印刷ＪＯＢ＿ＩＤ情報をユーザＢＴＤアドレス管理テーブル１８に記録する。
【００６９】
＜Ｓ２０９＞ＭＦＰ３１は操作部１４に印刷する枚数から算出した課金情報を表示する。
【００７０】
＜Ｓ２１０＞コインロボに規定料金が投入されると印刷を実行する。
【００７１】
以上が一連の動作である。
【００７２】
＜Ｓ２１１＞一度デジタルカメラのＢＴＤアドレスをＭＦＰ３１に登録したユーザは２回目以降、ＢＴ機器専用センストレイにデジタルカメラを置かなくとも、タッチパネルでカメラダイレクトプリントサービスを選択し、操作部１４により、デジカメをトレイに置くよう支持された際にキャンセルをすればＭＦＰ３１はユーザＢＴＤアドレス管理テーブル１８に登録されたＢＴＤアドレスのＢＴ機器を検索するので、即座にユーザデジタルカメラとＭＦＰ３１の通信確立が実行される。図１３−Ｓ２０２／Ｓ２１１参照。
【００７３】
以上説明したように、ＭＦＰにＢＴ機器専用センストレイを設け、該トレイに置かれたＢＴ搭載デジタルカメラのセンスとＢｌｕｅｔｏｏｔｈに依るリンク確立を実行できる手段を設ける事により、初めてサービス使用するユーザが容易にデジタルカメラとパブリックＭＦＰとのＢｌｕｅｔｏｏｔｈリンク確立を実現でき、パブリックＭＦＰにてカメラダイレクトプリントサービスを使用できる。またＢＴ機器のセンス機能として光学センサ（射光部を遮られことをセンスする）を採用することで、様々な形状のＢＴ機器のセンスが可能となる。
【図面の簡単な説明】
【００７４】
【図１】第一実施例のシステム機能説明図
【図２】第一実施例のパブリックＭＦＰ１のブロック図
【図３】ＢＴ機器専用センストレイ３を示す図
【図４】第一実施例のフローチャート
【図５】第一実施例のＭＦＰ  ＵＩ例１を示す図
【図６】第一実施例のＭＦＰ  ＵＩ例２を示す図
【図７】第一実施例のユーザＢＴＤアドレス管理テーブルの詳細を示す表
【図８】第一実施例のＢＴ機器  ＵＩ例を示す図
【図９】第二実施例のシステム機能説明図
【図１０】第二実施例のパブリックＭＦＰ３１のブロック図
【図１１】ＢＴ機器専用センストレイ３３を示す図
【図１２】第二実施例のフローチャート
【図１３】第二実施例のＭＦＰ  ＵＩ例１を示す図
【図１４】第二実施例のＭＦＰ  ＵＩ例２を示す図
【図１５】第二実施例のデジタルカメラＵＩ例を示す図
【図１６】Ｂｌｕｅｔｏｏｔｈの状態遷移を示す図
【符号の説明】
【００７５】
１、３１  パブリックＭＦＰ
２  Ｂｌｕｅｔｏｏｔｈ  Ｉ／Ｆ  ユニット
３、３３  ＢＴ機器センストレイ
４、３２  ユーザＢＴ機器
５  ネットワーク
６  サーバ
１１、４０  ＭＦＰ本体
１２、３４  ＭＦＰ主制御部
１３  エンジン制御部
１４  操作部
１５  ドキュメントフィーダ
１６  コインロボ
１７  メモリメディアスロット
１８  ユーザＢＴＤアドレス管理テーブル
１９  ＨＤＤ
２１  ＣＰＵ
２２  ＲＡＭ
２３  ＲＯＭ
２４  描画部
２５  通信制御部
２６  コインロボ制御部
２７  操作部制御部
３５  ＢＴプロファイル管理＆制御部
【図２】
2006287860.tif 000003
【図４】
2006287860.tif 000004
【図５】
2006287860.tif 000005
【図６】
2006287860.tif 000006
【図７】
2006287860.tif 000007
【図８】
2006287860.tif 000008
【図１０】
2006287860.tif 000009
【図１１】
2006287860.tif 000010
【図１２】
2006287860.tif 000011
【図１３】
2006287860.tif 000012
【図１４】
2006287860.tif 000013
【図１６】
2006287860.tif 000014
【図１】
2006287860.tif 000015
【図３】
2006287860.tif 000016
【図９】
2006287860.tif 000017
【図１５】
2006287860.tif 000018